(57)【要約】【課題】安定して使用可能な剛性を有し、使用時に使用者の脚や膝が納まる下肢空間が広く使い勝手の良いフラップ機能を備えたテーブルを実現する。【解決手段】天板１と、前記天板１を支持するための脚支柱２１と、前記天板１と前記脚支柱２１との間に介在し前記天板１を略水平となる使用位置（Ｐ）と略鉛直に起立する収納位置（Ｑ）との間でフラップ動作可能に支持する支持機構３とを具備するテーブルであって、前記支持機構３が、前記天板１の直下に位置付けてなり且つフラップ動作する天板１の回転中心となる回転支軸３１と、この回転支軸３１を支持する支持要素２と備え、前記回転支軸３１を、該回転支軸３１の側端部３１ｘを前記脚支柱２１の上端部の内側端部２１ａよりも外側に位置付けて、両脚支柱２１の上端部に横架させるようにした。【選択図】図２
2004357979.tif 000002
【特許請求の範囲】
【請求項１】
天板と、前記天板を支持するための脚支柱と、前記天板と前記脚支柱との間に介在し前記天板を略水平となる使用位置と略鉛直に起立する収納位置との間でフラップ動作可能に支持する支持機構とを具備するテーブルであって、
前記支持機構が、前記天板の直下に位置付けてなり且つフラップ動作する天板の回転中心となる回転支軸と、この回転支軸を支持する支持要素と備え、前記回転支軸を、該回転支軸の側端部を前記脚支柱の上端部の内側端部よりも外側に位置付けて、両脚支柱の上端部に横架させていることを特徴とするテーブル。
【請求項２】
前記回転支軸を、該回転支軸の側端部を前記脚支柱の上端部の外側端部と略同一の位置または外側に位置付けて、両脚支柱の上端部に横架させていることを特徴とする請求項１記載のテーブル。
【請求項３】
前記回転支軸が、長手方向に沿って各部等断面形状をなす円筒部材であることを特徴とする請求項１又は２記載のテーブル。
【請求項４】
前記支持要素が、板金素材の塑性変形加工により形成されるものであることを特徴とする請求項１乃至３いずれか記載のテーブル。
【請求項５】
前記回転支軸を、収納位置にある天板と最も近接する反使用端側縁部が前記脚支柱の反使用端側縁部より反使用端側へ突出するように、前記脚支柱の上端部に配置することにより、収納位置に位置付けた天板と脚支柱との間に所定の隙間が形成されるように構成していることを特徴とする請求項１乃至４いずれか記載のテーブル。
【請求項６】
収納位置にある天板面と直交し且つ前記脚支柱を床面に対して移動可能に支持するための第１の支持体又は移動不能に支持するための第２の支持体を両端部に取り付けてなる脚ベースを具備し、前記脚支柱を、脚ベースの両端部から略等距離にある位置で支持していることを特徴とする請求項１乃至５いずれか記載のテーブル。
【発明の詳細な説明】
【０００１】
【発明の属する技術分野】
本発明は、オフィスや学校などで好適に使用される、天板をフラップ動作させることができるようにしたテーブルに関するものである。
【０００２】
【従来の技術】
従来、この種のテーブルは、天板と、脚支柱と、脚支柱の上端部で支持され前記天板を略水平となる使用位置と略鉛直に起立する収納位置との間でフラップ動作可能に支持するフラップ機構と、床面に設置され前記の脚支柱の下端部を支持する脚ベースとを備えてなるものがよく知られている。
【０００３】
そしてこのようなテーブルは、強度を上げて安定して使用するために、前記フラップ機構より低い位置にある脚支柱の側面に、端面当てで横架させてなる横架材を備えている（例えば、特許文献１参照。）。
【０００４】
【特許文献１】
特開平１１−１５５６６５号公報（段落番号００１９、第１図）
【０００５】
【発明が解決しようとする課題】
しかしながら、以上のような構成では、横架材は、フラップ機構が取り付けられている脚支柱の上端部を避けた低い位置に取り付けられているので、この横架材によって天板下の使用者の脚が納まる下肢空間が狭められてしまう。このため、使用位置に天板を位置付けて使用する際に、横架材に使用者の脚や膝があたってしまうといった使用上の問題を有している。また、下肢空間が狭くならないように、フラップ機構直下に横架材を設けると、十分な強度が出ず更に予備補強部材を追加しなければならなかった。
【０００６】
そこで本発明は、上述した課題を解決することを主たる目的とするものである。
【０００７】
【課題を解決するための手段】
すなわち、本発明に係るテーブルは、天板と、前記天板を支持するための脚支柱と、前記天板と前記脚支柱との間に介在し前記天板を略水平となる使用位置と略鉛直に起立する収納位置との間でフラップ動作可能に支持する支持機構とを具備するテーブルであって、
前記支持機構が、前記天板の直下に位置付けてなり且つフラップ動作する天板の回転中心となる回転支軸と、この回転支軸を支持する支持要素と備え、前記回転支軸を、該回転支軸の側端部を前記脚支柱の上端部の内側端部よりも外側に位置付けて、両脚支柱の上端部に横架させていることを特徴とする。
【０００８】
このようなものであれば、脚支柱間を横架して補強部材としての機能を発揮する回転支軸が、その側端部を前記脚支柱の上端部の内側端部よりも外側に位置付けて、両脚支柱の上端部に横架させられているので、回転支軸と脚支柱とがなす角度を大きくしたり小さくしたりするような力に対する剛性が、例えば、脚支柱の側面に回転支軸を端面当てして固定したものと比べて大きいものとなる。また、この回転支軸は、天板直下に設けられているので、使用位置での下肢空間を広く取ることができる。このように、広い下肢空間とテーブルを安定して使用するために十分な剛性を有する高機能なテーブルを実現することができる。
【０００９】
なお、よりテーブルを安定して使用するための十分な強度を得るためには、前記回転支軸を、該回転支軸の側端部を前記脚支柱の上端部の外側端部と略同一の位置または外側に位置付けて、両脚支柱の上端部に横架させていることが好ましい。
【００１０】
また、前記回転支軸が、長手方向に沿って各部等断面形状をなす円筒部材であれば、テーブルを軽量化して使い勝手のよいものとすることができ、また、汎用的な鋼管を用いて該回転支軸を形成できるのでコスト的なメリットも得られる。
【００１１】
また、軽量でありながらも回転支軸を支持するための十分な強度を有するように支持要素を構成するには、その支持要素を、板金素材の塑性変形加工により形成すればよい。
【００１２】
ところで、前記回転支軸を、収納位置にある天板と最も近接する反使用端側縁部が前記脚支柱の反使用端側縁部より反使用端側へ突出するように、前記脚支柱の上端部に配置することにより、収納位置に位置付けた天板と脚支柱との間に所定の隙間が形成されるように構成すれば、収納位置に天板を位置付けた際に、天板と脚支柱とが干渉して傷が生じることを好適に防止することができる。また、該テーブルが、例えば、フラップ動作する天板と連動するとともにその天板が使用位置にある際には下肢空間を所定方向から隠蔽する幕板を備えるものであれば、その幕板を、天板が収納位置に位置付けられた際に、前記隙間に収納されるように構成することにより、省スペース化して外観も良好なテーブルを提供することができる。
【００１３】
なお、天板が収納位置にあれば安定してテーブルを移動でき、また、使用位置にあれば安定して床に配置され得るものとするには、収納位置にある天板面と直交し且つ前記脚支柱を床面に対して移動可能に支持するための第１の支持体又は移動不能に支持するための第２の支持体を両端部に取り付けてなる脚ベースを具備し、前記脚支柱を、脚ベースの両端部から略等距離にある位置で支持していることが望ましい。
【００１４】
【発明の実施の形態】
以下、本発明の一実施形態について図面を参照して説明する。
【００１５】
本実施形態に係るテーブルＴは、オフィスや学校などで使用されるものであって、例えば、図１に示すように、天板１と、この天板１の両側端部を支持する一対の脚支柱２１と、この天板１と脚支柱２１との間に介在しその天板１を略水平となる使用位置（Ｐ）と略鉛直に起立する収納位置（Ｑ）との間でフラップ動作可能に支持する支持機構３と、前記脚支柱２１の下端部を支持する脚ベース２２と、前記天板１が収納位置（Ｑ）にある場合には、床面Ｆに接地して前記脚ベース２２を床面Ｆに対して移動可能に支持する第１の支持体たるキャスタ２Ｃと、前記天板１が使用位置（Ｐ）にある場合には、床面Ｆに接地して前記脚ベース２２を床面Ｆに対して移動不能に支持する第２の支持体たるアジャスタ２Ａと、前記天板１のフラップ動作と連動し且つ天板１が使用位置（Ｐ）にある際には所定方向から下肢空間Ｓを隠蔽する幕板４と、フラップ動作して前記使用位置（Ｐ）に位置付けられた天板１をその位置で移動不能に係止する一方所定操作によりその係止を解除するラッチ機構５とを具備するものである。
【００１６】
なお、本実施形態において前記脚ベース２２が、キャスタ２Ｃ、又は、アジャスタ２Ａによって支持されるように構成しているが、いずれか一方によって支持されるように構成してもよい。また、前記脚支柱２１と前記脚ベース２２との組を「脚２」として総称する。
【００１７】
また、本実施形態では、天板１が使用位置（Ｐ）にある際に、その表面側を上側、裏面側を下側と定義し、天板１の幕板４が取り付けられている側を反使用端側と定義して説明をする。
【００１８】
以下、各部を詳述する。
【００１９】
天板１は、平面視略矩形をなすように形成された木製のものである。なお、天板を構成する材質は、木製のものに限らず、例えば、金属製のものや一部合成樹脂製とするなど、実施態様に応じて適宜設定できる。
【００２０】
脚支柱２１は、図２、図３、図４に示すように、金属などを素材として略鉛直に起立する中空略角柱状に成形されてなるものである。また、本実施形態では、上端部を下端側より若干窄ませて、該上端部を外観不能にするためのカバー（図示せず）を取り付け得るように構成している。
【００２１】
脚ベース２２は、図２、図３、図４に示すように、前記脚支柱２１の下端を支持する脚ベース本体２２０と、この脚ベース本体２２０から使用端側の先端部に行くにしたがって漸次高さ寸法が小さくなる前脚ベース２２１と、脚ベース本体２２０から反使用端側の先端部に行くにしたがって漸次高さ寸法が小さくなる後脚ベース２２２とを具備し、これら各部を一体に形成している。また、この脚ベース２２は、使用位置（Ｐ）に位置付けた天板１の側縁と略平行をなし、収納位置（Ｑ）に位置付けた天板１の側縁と略直交するように、天板１に対して配置されている。なお、本実施形態では、脚ベース２２の両先端部から略等距離にある位置で、前記脚支柱２１の下端を支持するように構成している。
【００２２】
また、この脚ベース２２は、天板１のフラップ動作に連動し、床面Ｆに対して上下動するキャスタ２Ｃ又はアジャスタ２Ａによって支持されている。より具体的には、使用位置（Ｐ）にある天板１をフラップ動作させて収納位置（Ｑ）に位置付けると、この操作と連動して作動する図示しない作動機構が、図５（ａ）に示すように、キャスタ２Ｃを床面Ｆに接地させる一方、アジャスタ２Ａを床面Ｆから離間させる。すなわち、天板１が収納位置（Ｑ）に位置付けられているときには、キャスタ２Ｃが脚ベース２２を支持する。また、収納位置（Ｑ）にある天板１をフラップ動作させて使用位置（Ｐ）に位置付けると、前記作動機構が、図５（ｂ）に示すように、キャスタ２Ｃを床面Ｆから離間させる一方、アジャスタ２Ａを床面Ｆに接地させる。すなわち、天板１が使用位置（Ｐ）に位置付けられているときには、アジャスタ２Ａが脚ベース２２を支持する。
【００２３】
支持機構３は、図２、図３、図４等に示すように、脚支柱２１の上端部の所定位置に取り付けられ且つフラップ動作する天板１の回転中心となる回転支軸３１と、天板１裏面の所定位置に取り付けられ且つ回転支軸３１に回転可能に支持されてなる支持要素たる天板受け３２とを備えてなる。
【００２４】
より具体的には、回転支軸３１は、前記脚支柱２１間に横架させてなる長手方向に沿って各部等断面形状をなす円筒状のパイプである。そして、この回転支軸３１は、図６に示すように、その側端部３１ｘを、前記脚支柱２１の上端部の外側端部２１ｂと略同一の位置に位置付けて、且つ、脚支柱２１の上端部の一部を塞ぐようにして、その脚支柱２１の上端部に溶接により固定する一方、収納位置（Ｑ）にある天板１と最も近接する反使用端側縁部３１ｙを、図２、図４に示すように、前記脚支柱２１の反使用端側縁部２１ｙより反使用端側へ突出する位置に位置付けられるように、脚支柱２１の上端部に溶接により固定している。このことにより、天板１を収納位置（Ｑ）に位置付けた場合には、その収納位置（Ｑ）に位置付けた天板１と、脚支柱２１との間に隙間ｈが形成されることとなる。
【００２５】
また、本実施形態では、該回転支軸３１の両側端部に前記カバーを取り付けて、回転支軸３１の側端面を外観不能にし得るように構成している。
【００２６】
天板受け３２は、天板１裏面に対して起立するとともに互いに平行をなす正面視略矩形状の前起立壁要素３２１及び後起立壁要素３２２と、天板１裏面と平行をなし且つその天板１裏面から離間する位置に位置付けてなる平面視略矩形状の底壁要素３２３と、前記前起立壁要素３２１の下端縁と底壁要素３２３の前側縁との間に設けた平面視略矩形状の前傾斜壁要素３２４と、前記後起立壁要素３２２の下端縁と底壁要素３２３の後側縁との間に設けた平面視略矩形状の後傾斜壁要素３２５と、前記各要素３２１〜３２５の側端縁から略直角に屈曲させてなるとともに前記天板１裏面に対して起立する側面視略台形形状の対をなす側起立壁要素３２６とを備え、これら各要素３２１〜３２６を板金素材を塑性変形加工することにより一体に形成している。
【００２７】
また、側起立壁要素３２６には、前記回転支軸３１を挿通するための上向きＵ字状をなす挿通部３ａを形成している。そして、天板１裏面とこの挿通部３ａとで囲まれる空間に前記回転支軸３１を挿通させれば、天板１裏面と挿通部３ａの周端縁とによって前記回転支軸３１を回転可能に支持することができる。なお、本実施形態では、挿通部３ａの周端縁に回転支軸３１を支持させるように構成しているが、例えば、対をなす側起立壁要素３２６の周端縁間に連続させてなる円筒形状の軸保持部を設けるといった実施態様も考えられる。そして、この軸保持部に回転支軸３１を保持させれば、回転支軸３１の円筒面と軸保持部の円筒内面とが面接触する状態になるので、例えば、多人数で使用するような比較的重量の大きな天板１を好適にフラップ動作させることも可能となる。
【００２８】
しかして、天板１は、前記使用位置（Ｐ）と前記収納位置（Ｑ）との間で回転支軸３１の軸線周りにフラップ動作可能になる。そして、使用位置（Ｐ）に天板１が位置付けられている際には、前記回転支軸３１は、天板１直下に位置付けられることとなり、この回転支軸３１が、荷重を受けた天板１の撓みを防止する天板補強部材としての機能を発揮する。また、収納位置（Ｑ）に天板１が位置付けられている際には、前記回転支軸３１は、起立する天板１裏面の側方に沿って位置付けられることとなり、回転支軸３１の両端部が、天板受け３２を介して天板１を支持することとなる。
【００２９】
幕板４は、図４等に示すように、天板１と脚支柱２１とに取り付けられてなり且つ幅寸法が前記天板１と略同一の正面視略矩形状をなすものであって、板金素材を塑性変形加工して形成してなる。なお、本実施形態では、この幕板４は、天板１裏面と該幕板４上部との間に介在させてなる上支持部材４１と、脚支柱２１と該幕板４下部との間に介在させてなる下支持部材４２とによって、天板１をフラップ動作させた際に、前記脚支柱２１に対して平行を成しながら近接又は離間し得るように支持されている。しかして、天板１が使用位置（Ｐ）にある場合には、図１、図２に示すように、この幕板４によって、反使用端側から下肢空間Ｓが隠蔽される。
【００３０】
ラッチ機構５は、図２、図４等に示すように、前記回転支軸３１に固定してなる係止要素５１と、前記天板受け３２に取り付けてなり前記係止要素５１に係止され得る被係止要素５２と、前記被係止要素５２を所定軸周りに回転させる操作レバー５３とを具備してなる。
【００３１】
より具体的には、前記係止要素５１は一端部を前記回転支軸３１に溶接によって固定され、他端部を反使用端側に膨出させてなる側面視下向きに突出する下向き爪であって、本実施形態では、板金素材を塑性変形加工することにより形成してなる。被係止要素５２は、一端部を前記天板受け３２の側起立壁要素３２６間に横架させてなる係止軸５４に回転可能に軸支され、他端部を前記係止要素５１に係止され得る側面視上向きに突出する上向き爪であって、本実施形態では、板金素材を塑性変形加工することにより形成してなる。操作レバー５３は、使用者が把持して操作可能なコ字状の把持要素５３１と、この把持要素５３１の回転中心となる連結要素５３２とを備え、この連結要素５３２を前記被係止要素５２の一端部に取り付けることにより、前記把持要素５３１が前記係止軸５４を回転中心として回転するように構成してなる。
【００３２】
なお、本実施形態において、前記係止要素５１、被係止要素５２及び操作レバー５３の連結要素５３２とが、前記天板受け３２を構成する前起立壁要素３２１、後起立壁要素３２２、底壁要素３２３、前傾斜壁要素３２４、後傾斜壁要素３２５、側起立壁要素３２６で囲まれる収容空間に収容されるように構成している。また、前記操作レバー５３の把持要素５３１は、使用者が操作できるように、天板受け３２の外部に露出するように配置してなる。
【００３３】
以上のように構成されるテーブルＴは、次のようにして使用される。
【００３４】
まず、天板１を、使用位置（Ｐ）に位置付けて使用する場合について説明する。
【００３５】
天板１を、収納位置（Ｑ）側から使用位置（Ｐ）に向けてフラップ動作させて、図１〜図３に示すように、使用位置（Ｐ）に位置付けると、このフラップ動作に連動した作動機構が、図５（ｂ）に示すように、キャスタ２Ｃを床面Ｆから離間させる一方アジャスタ２Ａを床面Ｆに接地させる。しかして、該テーブルＴが床面Ｆに対して移動不能に設置される。また、このとき幕板４が、天板１のフラップ動作と連動して移動し、脚支柱２１から所定距離に離間した位置に位置付けられる。しかして、天板１、幕板４、キャスタ２Ｃ又はアジャスタ２Ａによって支持される脚２及び床面Ｆとによって囲まれ且つ使用端側に開口してなる下肢空間Ｓが形成される。なお、使用位置（Ｐ）に天板１が位置付けられているときには、被係止要素５２が係止要素５１に係止されるので、天板１はフラップ動作することを禁止される状態となる。
【００３６】
このような状態で、例えば、天板１表面に物品が置かれることなどにより天板１へ荷重が加わると、その荷重は、該天板１を支持する回転支軸３１を介して脚支柱２１にかかる。このとき、脚支柱２１は、天板１の使用端側及び反使用端側から略等距離の位置で回転支軸３１を支持しているとともに、脚ベース２２の両先端部から等距離にある位置でその脚ベース２２に支持されているので、脚支柱２１が反使用端側又は使用端側のいずれかの方向にオフセットした状態で回転支軸３１を支持している場合や、脚支柱２１が反使用端側又は使用端側のいずれかの方向にオフセットされて脚ベース２２に支持されている場合に比べ、非常に安定した状態で天板荷重を支えることができる。
【００３７】
また、本実施形態では、回転支軸３１を、該回転支軸３１の側端部３１ｘを前記脚支柱２１の上端部の外側端部２１ｂと略同一の位置に位置付けて、且つ、脚支柱２１の上端部の一部を塞ぐようにして、その脚支柱２１の上端部に溶接により固定されているので、脚支柱２１の側面に回転支軸３１を端面当てで溶接して固定したものと比べ、脚支柱２１が回転支軸３１を支持する強度が増大する。このため、例えば、使用位置（Ｐ）に位置付けられている天板１に荷重が加わった場合でも、その荷重によって、脚支柱２１間が広がったり、あるいは、脚支柱２１が下肢空間Ｓ側へ折れ曲がってくることを好適に防止することができる。
【００３８】
さらに、使用位置（Ｐ）にある天板１中央に比較的大きな荷重が加わることにより、天板１中央が下方へ撓んだ場合でも、天板１直下に位置付けられている回転支軸３１が、下方へ撓むことを防ぎながら天板１を支持するので、回転支軸３１がない場合に比べて天板１の撓み量を大幅に減少させることができる。すなわち、比較的大きな荷重が天板荷重が加わった場合でも、天板１の撓みもほとんど生じず、外観上非常に優れたものとすることができるとともに、天板１上での作業も略フラットな状態で大変好適に行うことができる。
【００３９】
このように、テーブルＴを安定して使用するための横架材などを脚支柱２１間や脚ベース２２間に取り付ける必要がなく、天板１より下方の脚２間に挟まれる領域の略全体を、下肢空間Ｓとして有効に利用することができる。
【００４０】
次に、天板１を、収納位置（Ｑ）に位置付けて使用する場合について説明する。
【００４１】
使用者が、操作レバー５３の先端部を天板１に近づく方向に操作すると、ラッチ機構５の被係止要素５２と係止要素５１との係止が解除され、天板１がフラップ動作可能な状態になる。
【００４２】
そして、天板１を、使用位置（Ｐ）から収納位置（Ｑ）に向けてフラップ動作させて、図４に示すように、収納位置（Ｑ）に位置付けると、このフラップ動作に連動した作動機構が、図５（ａ）に示すように、キャスタ２Ｃを床面Ｆに設置させる一方アジャスタ２Ａを床面Ｆから離間させる。しかして、該テーブルＴを床面Ｆに対して移動可能になる。また、このとき、幕板４が、天板１のフラップ動作と連動して移動し、天板１と脚支柱２１との間に形成される隙間ｈに位置付けられる。しかして、天板１と脚支柱２１と幕板４とが、脚ベース２２の両先端部から略等距離にある位置で、床面Ｆに対して起立する状態となる。
【００４３】
このような状態で、天板１や脚支柱２１に水平方向の力を加えると、その力は脚支柱２１を支持する脚ベース２２に伝わる。そして、その力が所定の力以上であれば、脚ベース２２を支持するキャスタ２Ｃが床面Ｆに対して転動し、天板１と脚支柱２１とは脚ベース２２に支持されながら床面Ｆに対して移動することとなる。
【００４４】
このとき、天板１及び脚支柱２１は、脚ベース２２の両先端部から略等距離にある中央部分でその脚ベース２２に支持されているので、例えば、脚支柱２１が反使用端側又は使用端側のいずれかの方向にオフセットされて脚ベース２２に支持されている場合に比べ、非常に安定した状態でテーブルＴを移動させることができる。
【００４５】
以上のように構成した本実施形態のテーブルＴは、天板１が使用位置（Ｐ）に位置付けられている場合には、脚２間に天板１の略直下から下方に広がる広い下肢空間Ｓを有し、また、比較的重量の大きい物品を天板１においても天板１が撓むことなく略フラットな状態で天板面を使用でき、また、天板１が収納位置（Ｑ）に位置付けられている場合には、該テーブルＴを安定した状態で移動でき、さらに、天板１の位置にかかわらず高い剛性により安定して使用可能であるといった、非常に高機能なテーブルを提供することができる。
【００４６】
また、脚支柱２１間を補強して強度を得るための横架材が不要であるので、部品点数及び組み立て工数を削減してコストダウンすることができる。
【００４７】
また、回転支軸３１に円筒状のパイプを使用して、テーブルＴとして必要な剛性を実現しながらテーブルＴを軽量化しているので、比較的小さな力でテーブルＴを移動することができる。また、回転支軸３１を形成するために、複雑な加工をしなくてよいのでコスト的なメリットも得られる。さらに、天板受け３２を、板金素材の塑性変形加工により形成しているので、軽量でありながらも回転支軸３１を支持するための十分な強度を得ている。これらにより、軽量でありながらも所望の安定性を有するテーブルを実現することができる。
【００４８】
なお、本発明は、以上に詳述した実施形態に限られるものではない。
【００４９】
例えば、回転支軸３１を、該回転支軸３１の側端部３１ｘを前記脚支柱２１の上端部の外側端部２１ｂと略同一の位置に位置付けて、両脚支柱２１の上端部に横架させているが、例えば、前記側端部３１ｘを、脚支柱２１の内側端部２１ａよりも外側に位置付けられるものであれば、これに限られるものでない。このとき、側端部３１ｘを脚支柱２１の外側端部２１ｂより外側に位置付ければ、回転支軸と脚支柱とがなす角度を大きくしたり小さくしたりするような力に対する剛性をより大きくして、テーブルをより安定して使用できる。
【００５０】
また、天板に回転支軸を備え、脚支柱の上部にこの回転支軸を支持するための支持要素を備えるようにしてもよい。
【００５１】
また、天板をフラップ動作させる構造は、上記実施形態のものに限られない。
【００５２】
また、幕板の取り付け方法も本実施形態に限られるものではない。さらに幕板を具備しないように構成しても構わない。
【００５３】
その他、各部の具体的構成についても上記実施形態に限られるものではなく、本発明の趣旨を逸脱しない範囲で種々変形が可能である。
【００５４】
【発明の効果】
以上に詳述したように本発明によれば、天板と、前記天板を支持するための脚支柱と、前記天板と前記脚支柱との間に介在し前記天板を略水平となる使用位置と略鉛直に起立する収納位置との間でフラップ動作可能に支持する支持機構とを具備するテーブルであって、前記支持機構が、前記天板の直下に位置付けてなり且つフラップ動作する天板の回転中心となる回転支軸と、この回転支軸を支持する支持要素と備え、前記回転支軸を、該回転支軸の側端部を前記脚支柱の上端部の内側端部よりも外側に位置付けて、両脚支柱の上端部に横架させているので、脚支柱間を横架して補強部材としての機能を発揮する回転支軸が、その側端部を前記脚支柱の上端部の内側端部よりも外側に位置付けて、両脚支柱の上端部に横架させられているので、回転支軸と脚支柱とがなす角度を大きくしたり小さくしたりするような力に対する剛性が、例えば、脚支柱の側面に回転支軸を端面当てして固定したものと比べて大きいものとなる。また、この回転支軸は、天板直下に設けられているので、使用位置での下肢空間を広く取ることができる。このように、広い下肢空間とテーブルを安定して使用するために十分な剛性を有する高機能なテーブルを実現することができる。
【図面の簡単な説明】
【図１】本発明の実施形態における天板を使用位置に位置付けた際のテーブルの全体斜視図。
【図２】同実施形態における側面図。
【図３】同実施形態における正面図。
【図４】同実施形態における天板を収納位置に位置付けた際の側面図。
【図５】同実施形態におけるキャスタ及びアジャスタの床面への接地状態を模式的に示す構造断面図。
【図６】同実施形態における要部を拡大して示す正面図。
【符号の説明】
１・・・天板
２１・・・脚支柱
２１ａ・・・内側端部
２１ｂ・・・外側端部
２２・・・脚ベース
２Ａ・・・第２の支持体（アジャスタ）
２Ｃ・・・第１の支持体（キャスタ）
３・・・支持機構
３１・・・回転支軸
３１ｘ・・・側端部
３２・・・支持要素（天板受け）
ｈ・・・隙間
Ｐ・・・使用位置
Ｑ・・・収納位置
Ｔ・・・テーブル
【図１】
2004357979.tif 000003
【図２】
2004357979.tif 000004
【図３】
2004357979.tif 000005
【図４】
2004357979.tif 000006
【図５】
2004357979.tif 000007
【図６】
2004357979.tif 000008